(57)【要約】【課題】十分な遮水性能を持つケーソン護岸遮水目地構造を提供することにある。【解決手段】隣り合うケーソン１０と間に形成される目地部内に変形許容空間を設け、該空間内において両側のケーソン１０から相互にかみ合う複数の仕切板２０を設けることにより、排水経路を大幅に延長し、該仕切板２０の隙間には止水材３０を充填することにより遮水性を向上させることを特徴とする。【選択図】　　　　図１
2004124454.tif 000002
【特許請求の範囲】
【請求項１】
ケーソン目地部内に変形許容空間を設け、該空間内において両側のケーソン壁面から相互にかみ合う複数の仕切板を設けることにより、排水経路を大幅に延長し、該仕切板の隙間には止水材を充填することにより遮水性を向上させることを特徴とするケーソン護岸遮水目地構造。
【請求項２】
前記仕切板は前記空間内において地震に対してある程度の変形が許容され、その変形後に該空間内に更に止水材を注入することにより修復できることを特徴とする請求項１記載のケーソン護岸遮水目地構造。
【請求項３】
前記ケーソン目地両端部には、充填材を注入したゴム管を配置したことを特徴とする請求項１又は２記載のケーソン護岸遮水目地構造。
【請求項４】
前記ゴム管の更に外側に塞ぎ板を配置することを特徴とする請求項３記載のケーソン護岸遮水目地構造。
【請求項５】
前記止水材として、ゲル・スラリー状充填物質を使用することを特徴とする請求項１，２，３又は４記載のケーソン護岸遮水目地構造。
【請求項６】
前記止水材として、高分子系物質をゲル化したものを使用することを特徴とする請求項１，２，３又は４記載のケーソン護岸遮水目地構造。
【請求項７】
前記止水材として、粘土系物質を使用することを特徴とする請求項１，２，３又は４記載のケーソン護岸遮水目地構造。
【請求項８】
前記止水材として、ゴムアスファルト系物質を使用することを特徴とする請求項１，２，３又は４記載のケーソン護岸遮水目地構造。
【発明の詳細な説明】
【０００１】
【発明の属する技術分野】
本発明は、ケーソン護岸遮水目地構造に関する。例えば、海や湖などの埋め立てのためにケーソンを連続して配置することにより構築する護岸壁において、ケーソンとケーソンの間に形成される間隙から土砂が流出することを防止するために隣り合うケーソン間に設けられるものである。
【０００２】
【従来の技術】
海などの埋め立て工事を行う場合、埋め立てるべき海面を囲んで複数のケーソンを直列に連続して沈設して護岸壁を構築し、この護岸壁にかこまれた海域に土砂を搬入して埋め立てを行う。
このような護岸壁においては、ケーソンは互いに一定の間隔をもって一列に配列されるので、この間隙から埋め立てに用いられる土砂が海水に洗われて流出する恐れがある。
【０００３】
そこでこのような土砂の流出を防止するためケーソン間の目地を完全にシールする必要がある。
従来このようなケーソン護岸の遮水目地構造として、ゴム・合成樹脂などの弾性部材からなる一端が閉じた中空筒状の目地材を内部空気の抜き取りにより強制的に偏平化し、開放端を閉じてケーソンの対向面間に配置したのち目地材の上端を開口することにより目地材の自己復元力により筒状に復帰させることによって目地材を対向面に圧設させるものが使用されている（例えば、特許文献１、特許文献２参照）。
【０００４】
この形式の目地材においては、目地材を対向面により密接に圧設せしめシールを確実にするために、必要に応じ、目地材の中空部に砂、アスファルト、モルタルなどの充填材が注入充填されている。
【０００５】
【特許文献１】
特公昭５６−１１８０６号公報
【特許文献２】
特公平７−１３３６５号公報
【０００６】
【発明が解決しようとする課題】
従来のケーソン式護岸においては、例えば、図２（ａ）に示すように、海面に複数のケーソン１を連続して沈設して護岸壁を構築し、護岸壁に囲まれた中に廃棄物２による埋め立てを行い、隣り合うケーソン１の間の隙間から廃棄物２を含む土砂や汚水が流出しないように、その間に遮水目地構造として、図２（ｂ）に示すように、両端側にゴム管３をそれぞれ配置し、ゴム管３とゴム管３の間に砂４を充填していた。
ゴム管３は、自己復元力によりケーソン壁面を押しつける構造であり、必要に応じて砂等の充填材を注入したものであるため、十分な遮水機能が期待できなかった。
【０００７】
そのため、遮水シートや遮水矢板を併用して、二重に遮水する必要があるが、遮水シートや遮水矢板は、水深が深くなるほど施工が困難となる不具合がある。また、ゴム管３とケーソン壁面が波圧等により擦れ、ゴム管３が摩耗し、充填した砂が漏れる虞があり、更には、地震時の大変形に追従出来ないなどの問題があった。
本発明は、十分な遮水性能を持つケーソン護岸遮水目地構造を提供することを目的とする。
【０００８】
【課題を解決するための手段】
上記課題を解決する本発明の請求項１に係るケーソン護岸遮水目地構造は、ケーソン目地部内に変形許容空間を設け、該空間内において両側のケーソン壁面から相互にかみ合う複数の仕切板を設けることにより、排水経路を大幅に延長し、該仕切板の隙間には止水材を充填することにより遮水性を向上させることを特徴とする。
【０００９】
上記課題を解決する本発明の請求項２に係るケーソン護岸遮水目地構造は、請求項１において、前記仕切板は前記空間内において地震に対してある程度の変形が許容され、その変形後に該空間内に更に止水材を注入することにより修復できることを特徴とする。
【００１０】
上記課題を解決する本発明の請求項３に係るケーソン護岸遮水目地構造は、請求項１又は２において、前記ケーソン目地両端部には、充填材を注入したゴム管を配置したことを特徴とする。
【００１１】
上記課題を解決する本発明の請求項４に係るケーソン護岸遮水目地構造は、請求項３において、前記ゴム管の更に外側に塞ぎ板を配置することを特徴とする。
【００１２】
上記課題を解決する本発明の請求項５に係るケーソン護岸遮水目地構造は、請求項１，２，３又は４において、前記止水材として、ゲル・スラリー状充填物質を使用することを特徴とする。
【００１３】
上記課題を解決する本発明の請求項６に係るケーソン護岸遮水目地構造は、請求項１，２，３又は４において、前記止水材として、高分子系物質をゲル化したものを使用することを特徴とする。
【００１４】
上記課題を解決する本発明の請求項７に係るケーソン護岸遮水目地構造は、請求項１，２，３又は４において、前記止水材として、粘土系物質を使用することを特徴とする。
【００１５】
上記課題を解決する本発明の請求項８に係るケーソン護岸遮水目地構造は、請求項１，２，３又は４において、前記止水材として、ゴムアスファルト系物質を使用することを特徴とする。
【００１６】
【発明の実施の形態】
本発明の一実施例に係るケーソン護岸遮水目地構造を図１に示す。
図１に示すように、隣り合うケーソン１０の間に形成される隙間に、大きな変形許容空間を設け、この空間内において相互にかみ合う複数の仕切板２０を各ケーソン１０から設けた。
【００１７】
更に、各仕切板２０の隙間にはゲル・スラリー状充填物質等の止水材３０を充填した。
従って、排水経路は各仕切板２０の間をジグザクに折り曲がることになり、仕切板２０がない場合に比較して、排水経路が大幅に延長され、しかも、延長された排水経路である仕切板２０の間に止水材３０が充填されるため、遮水性が向上することとなる。
【００１８】
このように遮水性が向上する結果、従来の目地構造において併用されていた遮水シートや遮水矢板を不要とすることができる。
また、仕切板２０や止水材３０は、遮水シートや遮水矢板と異なり、水深が深くなっても特に施工が困難となるような事情がなく、そのため、水深が深いほど本発明が経済的に有利になる。
【００１９】
また、仕切板２０は相互に一定の距離を隔て配置されるため、地震に対してはある程度の変形が許容され、地震による変形後に空間内に更に止水材３０を注入することにより修復することが可能となる。
修復には、例えば、地盤改良の技術を応用することができる。
更に、充填した止水材３０が漏れ出すのを防ぐため、目地端部においては従来技術を適用することとし、目地端部は左右から構造を張り出して、設計変位より決定される隙間とし、砂等の充填剤を注入したゴム管４０をそれぞれ配置し、更に、ゴム管４０の更にその外側に塞ぎ板５０を配置した。
【００２０】
止水材３０に適用できる物質としては、ゲル・スラリー状充填物質の他には、以下のものがある。
▲１▼高分子系物質をゲル化したもの。
▲２▼粘土系物質（ベントナイトなど）
▲３▼ゴムアスファルト系物質
上記物質を使用することにより以下の機械的性能が得られる。
【００２１】
（１）機械的性能
１．透水係数が小さいので、高い遮水性が得られる。
２．海水中において施工可能である。
２．１　海水中において硬化又はゲル化可能であるため、確実に充填できる。
２．２　海水より比重大であるため、施工時に拡散することが無い。
３．外力による変形に対し追従できるため、遮水性能を維持できる。
４．地震時等に主構造体（ケーソン）が大変形をおこし、止水材保持構造である仕切板２０が損傷した場合でも、止水材３０があるので、直ちに護岸内の廃棄物汚水が海へ漏出しない。従って、その間に損傷部を補修し、止水材３０を再充填し、補修工事を完了する事が出来る。つまり、汚染物質の漏出を最小限に抑えられる。
【００２２】
本発明の適用されるケーソンとしては、例えば、図３〜５に示す一般的なケーソン６０が使用できるが、これに限定されるものではなく、公知のケーソンであれば広く使用可能である。
【００２３】
塞ぎ板５０としては、特に限定するものではないが、変位を許容できるように、一方側のケーソン１０にボルト等で固定され、他方のケーソン１０に対してはスライド可能なものとする。
例えば、図６に示すように、長手方向の動きを吸収できるように、塞ぎ板７０の両側をガイド板７０により摺動可能にケーソン６０に装着したものとすることもできる。
【００２４】
本発明の他の実施例を図７，図８に示す。
図８はケーソン護岸遮水目地目地部の構造図、図７はケーソン護岸の全体図である。
【００２５】
本実施例では、図８に示すように、隣り合うケーソン１０の間に形成される隙間には、左右から構造を張り出すことにより大きな空間を設け、この空間内において相互にかみ合う複数の仕切板２０を各ケーソン１０から設けたものであるが、前述した実施例とは仕切板２０の長さ及び数が異なる。
【００２６】
また、図７に示すように隣り合うケーソン６０の間に形成される隙間には、左右から構造を張り出すことで大きな空間を設け、この空間内において相互にかみ合う複数の仕切板２０を設けたものであるが、各ケーソン６０は長さや形状の異なるものを適用したものである。
【００２７】
【発明の効果】
以上、実施例に基づいて具体的に説明したように、本発明の請求項１に係るケーソン護岸遮水目地構造は、ケーソン目地部内に変形許容空間を設け、該空間内において両側のケーソン壁面から相互にかみ合う複数の仕切板を設けることにより、排水経路を大幅に延長し、該仕切板の隙間には止水材を充填したため、遮水性を向上させることができ、特に、水深が深いほど遮水シート等が不要な本発明が経済的に有利になる。
【００２８】
また、本発明の請求項２に係るケーソン護岸遮水目地構造は、請求項１において、前記仕切板は前記空間内において地震に対してある程度の変形が許容されるので、請求項１と同様な効果を奏する他、その変形後に該空間内に更に止水材を注入することにより容易に修復できる。
【００２９】
また、本発明の請求項３に係るケーソン護岸遮水目地構造は、請求項１又は２において、前記ケーソン目地両端部には、充填材を注入したゴム管を配置したので、請求項１又は２と同様な効果を奏する他、充填した止水材が漏れ出すのを防止することができる。
【００３０】
また、本発明の請求項４に係るケーソン護岸遮水目地構造は、請求項３において、前記ゴム管の更に外側に塞ぎ板を配置するので、請求項３と同様な効果を奏する他、充填した止水材が漏れ出すのを確実に防止することができる。
【００３１】
また、本発明の請求項５に係るケーソン護岸遮水目地構造は、請求項１，２，３又は４において、前記止水材として、ゲル・スラリー状充填物質を使用するので、請求項１，２，３又は４と同様な効果を奏する他、遮水性を更に向上させることができる。
【００３２】
また、本発明の請求項６に係るケーソン護岸遮水目地構造は、請求項１，２，３又は４において、前記止水材として、高分子系物質をゲル化したものを使用するので、請求項１，２，３又は４と同様な効果を奏する他、遮水性を更に向上させることができる。
【００３３】
また、本発明の請求項７に係るケーソン護岸遮水目地構造は、請求項１，２，３又は４において、前記止水材として、粘土系物質を使用するので、請求項１，２，３又は４と同様な効果を奏する他、遮水性を更に向上させることができる。
【００３４】
また、本発明の請求項８に係るケーソン護岸遮水目地構造は、請求項１，２，３又は４において、前記止水材として、ゴムアスファルト系物質を使用するので、請求項１，２，３又は４と同様な効果を奏する他、遮水性を更に向上させることができる。
【図面の簡単な説明】
【図１】本発明の一実施例に係るケーソン護岸遮水目地構造を示す構造図である。
【図２】図２（ａ）は従来のケーソン式護岸を示す平面図、図２（ｂ）は図２（ａ）中の一点鎖線で囲んだａ部の拡大図である。
【図３】図４中のＡ−Ａ線断面図である。
【図４】図３中のＢ−Ｂ線断面図である。
【図５】図４中のＣ−Ｃ線断面図である。
【図６】塞ぎ板を示す詳細図である。
【図７】本発明の他の実施例に係るケーソン護岸を示す構造図である。
【図８】本発明の他の実施例に係るケーソン護岸を示す全体図である。
【符号の説明】
１０　ケーソン
２０　仕切板
３０　止水材
４０　ゴム管
５０　塞ぎ板
【図１】
2004124454.tif 000003
【図２】
2004124454.tif 000004
【図３】
2004124454.tif 000005
【図４】
2004124454.tif 000006
【図５】
2004124454.tif 000007
【図６】
2004124454.tif 000008
【図７】
2004124454.tif 000009
【図８】
2004124454.tif 000010